(57)【特許請求の範囲】
【請求項１】
パチンコ玉を排出する排出口に向かって傾斜する底板と、該底板の外周に周設される壁板と、から構成され、前記底板と前記壁板とにより形成される貯留空間にパチンコ玉を貯留するパチンコ島台の貯留タンクにおいて、
該貯留タンクには、前記貯留空間に貯留されるパチンコ玉を外部へ流出させる玉抜き開口が前記壁板に貫通して形成されると共に、前記玉抜き開口を閉塞する位置と開放する位置とに移動可能な遮蔽部材を有する玉抜き装置が備えられ、
該玉抜き装置は、前記遮蔽部材を移動可能に装着し且つ前記玉抜き開口に嵌合する略コ字状の嵌合部と、該嵌合部の両側方から外側に向かって突設され且つ前記壁板の外側面に当接するフランジ部と、から構成される取付基台を備え、
前記フランジ部の壁板当接面から前記玉抜き開口を閉塞する位置にある前記遮蔽部材の内側面までの寸法を前記壁板の厚さと略同一となるように形成して前記遮蔽部材が閉塞する位置にある場合、前記遮蔽部材の内側面が前記壁板の内側面と略同一平面になることを特徴とするパチンコ島台の貯留タンク。
【請求項２】
前記遮蔽部材は、前記略同一平面上でスライド移動することを特徴とする請求項１記載のパチンコ島台の貯留タンク。
【請求項３】
前記遮蔽部材は、上下方向にスライド移動し、上方位置で前記玉抜き開口を閉塞し、下方位置で前記玉抜き開口を開放することを特徴とする請求項２に記載のパチンコ島台の貯留タンク。
【請求項４】
前記玉抜き開口から流出するパチンコ玉を案内する案内樋を前記取付基台に設け、
前記案内樋は、その上流側の端部が前記玉抜き開口の下方に軸支され、パチンコ玉を案内可能な使用位置と、前記貯留タンクの前記壁板側に収納された収納位置とに軸支位置を中心に上下方向に回動自在であることを特徴とする請求項３に記載のパチンコ島台の貯留タンク。
【請求項５】
前記遮蔽部材の上方には、前記案内樋が使用位置にある場合、該案内樋の上面に当接することにより前記遮蔽部材を下方位置で保持すると共に、前記案内樋が収納位置にある場合、該案内樋の下流端側の端部に当接することにより前記遮蔽部材を上方位置で保持し且つ前記案内樋の下流端側の端部を係止する係止片が設けられていることを特徴とする請求項４記載のパチンコ島台の貯留タンク。
【発明の詳細な説明】
【０００１】
【発明の属する技術分野】
本発明は、パチンコ玉を排出する排出口に向かって傾斜する底板と、該底板の外周に周設される壁板と、から構成され、前記底板と前記壁板とにより形成される貯留空間にパチンコ玉を貯留するパチンコ島台の貯留タンクに関するものである。
【０００２】
【従来の技術】
パチンコ島台には、パチンコ機２で使用される所定量のパチンコ玉を貯留するための貯留タンクが配設されており、パチンコ機２でのパチンコ玉の使用量が多い場合には、貯留タンク内に少量のパチンコ玉が貯留され、パチンコ機２でのパチンコ玉の使用量が少ない場合には、貯留タンク内に多量のパチンコ玉が貯留されている。
【０００３】
貯留タンクには、特開平９−２４１５２号に開示されているように、パチンコ玉を抜き取るための玉抜き開口４３が形成されており、この玉抜き開口４３には、上下動させることにより玉抜き開口４３を閉塞及び開放するスライド板４４が設けられている。玉抜き開口４３は、通常、スライド板４４により閉塞されているが、貯留タンクを清掃する場合や、あるいは貯留タンク内のパチンコ玉貯留量のバランスがパチンコ島台間で崩れた場合等に、貯留タンク内のパチンコ玉を抜くために開放されるものである。
【０００４】
【発明が解決しようとする課題】
ところが、この玉抜き開口４３に設けられるスライド板４４は、貯留タンクの外側面に沿って設けられているため、玉抜き開口４３が形成されている貯留タンクの内側面には、凹部が形成されてしまう。このため、玉抜き開口４３からパチンコ玉を抜くことが長期間ないような場合には、この凹部にパチンコ玉が滞留してパチンコ玉が錆びてしまうという問題があった。また、貯留タンク内で流動するパチンコ玉が凹部の角に衝突してスムーズにパチンコ玉が流れないばかりでなく、凹部の角が破損してしまうという問題があった。
【０００５】
本発明は、上記した事情に鑑みなされたもので、その目的とするところは、玉抜き開口周辺でパチンコ玉が滞留することなくスムーズに流れると共に、玉抜き開口が破損することのないパチンコ島台の貯留タンクを提供することにある。
【０００６】
【課題を解決するための手段】
上記した目的を達成するために、請求項１に記載の発明においては、パチンコ玉を排出する排出口に向かって傾斜する底板と、該底板の外周に周設される壁板と、から構成され、前記底板と前記壁板とにより形成される貯留空間にパチンコ玉を貯留するパチンコ島台の貯留タンクにおいて、該貯留タンクには、前記貯留空間に貯留されるパチンコ玉を外部へ流出させる玉抜き開口が前記壁板に貫通して形成されると共に、前記玉抜き開口を閉塞する位置と開放する位置とに移動可能な遮蔽部材を有する玉抜き装置が備えられ、該玉抜き装置は、前記遮蔽部材を移動可能に装着し且つ前記玉抜き開口に嵌合する略コ字状の嵌合部と、該嵌合部の両側方から外側に向かって突設され且つ前記壁板の外側面に当接するフランジ部と、から構成される取付基台を備え、前記フランジ部の壁板当接面から前記玉抜き開口を閉塞する位置にある前記遮蔽部材の内側面までの寸法を前記壁板の厚さと略同一となるように形成して前記遮蔽部材が閉塞する位置にある場合、前記遮蔽部材の内側面が前記壁板の内側面と略同一平面になることを特徴とするものである。このように構成することにより、遮蔽部材が玉抜き開口を閉塞する位置にあり、貯留タンク内のパチンコ玉の玉抜きが行われていない通常の状態では、遮蔽部材の内側面が壁板の内側面と略同一平面になるため、貯留空間における玉抜き開口周辺でパチンコ玉が滞留することなくスムーズに流れる。このため、パチンコ玉が滞留して錆びたり、貯留タンクの玉抜き開口周辺の破損を防止することができる。また、玉抜き装置を壁板に取り付ける際、取付基台のフランジ部の壁板当接面を壁板の外側面に当接させるだけで、遮蔽部材と壁板との位置合わせをすることなく、遮蔽部材の内側面と壁板の内側面とを略同一平面とすることができる。また、取付基台を取り付けることで遮蔽部材も同時に取り付けることとなり、玉抜き装置の取付作業の容易化を図ることができる。
【０００７】
また、請求項２に記載の発明においては、前記遮蔽部材は、前記略同一平面上でスライド移動することを特徴とするものである。このように構成することにより、玉抜き開口を開放した状態から閉塞した状態にする際に、遮蔽部材がパチンコ玉を噛み込むことが少なくなり、遮蔽部材をスムーズに移動させることができるため、作業性の向上を図ることができる。
【０００８】
また、遮蔽部材が同一平面上で移動するだけであるため、遮蔽部材のがたつきが発生しにくく、壁板の内側面と遮蔽部材の内側面との位置関係を、長期間に亘って略同一平面の良好な状態に保つことができる。
【０００９】
また、請求項３に記載の発明においては、前記遮蔽部材は、上下方向にスライド移動し、上方位置で前記玉抜き開口を閉塞し、下方位置で前記玉抜き開口を開放することを特徴とするものである。このように構成することにより、玉抜き開口を開放した状態から閉塞した状態にして貯留タンク内のパチンコ玉の流出をとめる際、遮蔽部材を流出するパチンコ玉の下方から上方に移動させることにより行うため、遮蔽部材によるパチンコ玉の噛み込みをより一層防止することができる。
【００１０】
【００１１】
【００１２】
また、請求項４に記載の発明においては、前記玉抜き開口から流出するパチンコ玉を案内する案内樋を前記取付基台に設け、前記案内樋は、その上流側の端部が前記玉抜き開口の下方に軸支され、パチンコ玉を案内可能な使用位置と、前記貯留タンクの前記壁板側に収納された収納位置とに軸支位置を中心に上下方向に回動自在であることを特徴とするものである。このように構成することにより、玉抜き開口がパチンコ島台の表面よりも奥側に位置している場合でも、パチンコ島台を構成する枠等を超えてパチンコ島台の外側に載置された玉箱等にパチンコ玉を移送することができるため、玉抜きの作業性の向上を図ることができる。
【００１３】
また、玉抜きを行うときには、案内樋を回動して使用位置にして使用し、玉抜きを行わないときには、案内樋を回動させて壁板側に収納しておくことができる。
【００１４】
このように回動自在であるため、例えば、案内樋が長いものであっても、案内樋の長さに合わせてパチンコ島台の寸法を変えることなく、パチンコ島台内に収納しておくことができる。
【００１５】
また、取付基台を貯留タンクに取り付けることで案内樋の貯留タンクへの取り付けも同時に行うことができると共に、案内樋と貯留タンクのとの位置合わせをすることなく案内樋を適切な位置に設けることができる。
【００１６】
更に、請求項５に記載の発明においては、前記遮蔽部材の上方には、前記案内樋が使用位置にある場合、該案内樋の上面に当接することにより前記遮蔽部材を下方位置で保持すると共に、前記案内樋が収納位置にある場合、該案内樋の下流端側の端部に当接することにより前記遮蔽部材を上方位置で保持し且つ前記案内樋の下流端側の端部を係止する係止片が設けられていることを特徴とするものである。このように構成することにより、遮蔽部材の上方位置又は下方位置での保持、及び案内樋の収納位置での保持を他の係止具等を用いることなく案内樋と遮蔽部材とが係止し合うことにより行うことができる。
【００１７】
【発明の実施の形態】
以下、図面を参照して本発明の実施形態について説明する。まず、図１を参照して本実施形態に係るパチンコ島台１の概略構成について説明する。図１は、本実施形態に係るパチンコ島台１の内部を示す部分側面図である。
【００１８】
図１において、パチンコ島台１は、周知のように、直方体状に枠組み構成され、その長手方向両面に複数のパチンコ機２を背向列設するようになっている。また、パチンコ島台１には、各パチンコ機２に挟持されるように台間玉貸機３が設けられており、この台間玉貸機３はパチンコ機２と１対１対応するように設けられていると共に、硬貨または紙幣、あるいはプリペイドカードまたは貯玉カードによりパチンコ玉を貸し出すようになっている。
【００１９】
パチンコ島台１のほぼ中央には、玉揚送装置（図示しない）が収納される玉揚送装置収納部４が立設されている。玉揚送装置は、帯状の搬送ベルトによってパチンコ玉を揚送するものであり、その帯状の搬送ベルトがパチンコ島台１の長手方向と直交するように配置されて下部の導入樋（図示しない）から導入したパチンコ玉を上部に研磨しながら揚送し、上部の排出樋（図示しない）から玉揚送装置の上部に設けられた上部タンク１８に排出するものである。上部タンク１８からは、各パチンコ機２にパチンコ玉を供給するための補給樋（図示しない）が、パチンコ島台１の長手方向端部に向かって傾斜状に設けられている。なお、玉揚送装置収納部４に右側方に隣接する位置には、景品玉を返却して計数する玉計数器７が設置されている。
【００２０】
玉揚送装置収納部４は、上部に上扉５が、中央部に中扉６が、下方に扉枠８が備えられている。上扉５及び中扉６は、一側方が軸支されて支軸を中心に開閉することができ、扉枠８は、全体をパチンコ島台１から着脱することができるものである。扉枠８は、角材により形成された枠と枠内をスライドする左右１枚ずつのスライド扉９とから構成されている。スライド扉９の外側側方には、それぞれ取手１０が形成されており、また、扉枠８の左右方向ほぼ中央の上方には、スライド扉９を施錠するための錠１１が備えられている。なお、扉枠８は、玉揚送装置収納部４の下部から玉計数器７の下方に亘って備えられるものであり、玉揚送装置収納部４の下部には、左側のスライド扉９が位置し、玉計数器７の下方には、右側のスライド扉９が位置している。
【００２１】
上扉５，中扉６及び扉枠８は、玉揚送装置のメンテナンスや、玉詰まり等のトラブルに対処する際に用いるものであり、上扉５又は中扉６を開放したり、扉枠８の左側のスライド扉９を開放することにより、玉揚送装置のそれぞれの扉に対応する箇所のメンテナンスやトラブルの対処を行うことができる。また、上扉５及び中扉６を開放し、更に扉枠８及び扉枠８上部に位置するカウンター台３８を取り外すことにより、玉揚送装置をパチンコ島台１から取り外すことも可能である。
【００２２】
パチンコ島台１内部の最下部であって玉揚送装置収納部４の右側方には、貯留タンク１２が、左側方には、貯留タンク１３がそれぞれ設置されている。貯留タンク１２は、玉計数器７の下方からパチンコ機２の３〜４台分の幅寸法程度の長さで形成されており、下流端（図１中、左端）が扉枠８の右側のスライド扉９に対応する位置に臨んでいる。
【００２３】
しかして、玉揚送装置により揚送されたパチンコ玉は、まず上部タンク１８につながる補給樋に最優先で移送される。補給樋及び上部タンク１８にパチンコ玉が充満し、上部タンク１８でオーバーフローしたパチンコ玉は、貯留タンク１３に移送されて貯留される。貯留タンク１３に貯留されたパチンコ玉は、貯留タンク１２に移送されるが、貯留タンク１２に移送されるパチンコ玉量よりも貯留タンク１３に移送されるパチンコ玉量が多い場合には、貯留タンク１３のパチンコ玉量が次第に増加していく。貯留タンク１３に貯留されるパチンコ玉量が増加し、貯留タンク１３にパチンコ玉が充満すると、次にパチンコ玉は、直接貯留タンク１２に移送されて貯留される。こうして貯留タンク１２に貯留されたパチンコ玉は、貯留タンク１２内の下流端に形成される合流部３０（図３参照）に移送される。
【００２４】
また、パチンコ機２から排出される使用済みのパチンコ玉は、パチンコ機２の下方に排出された後、パチンコ島台１の両端部から貯留タンク１２，１３に向けてそれぞれ下り傾斜状に設けられるアウト玉回収樋（図示しない）上に落下せしめられる。アウト玉回収樋は、パチンコ機２から排出されたパチンコ玉及び玉計数器７から返却されるパチンコ玉をまとめて回収するものであり、簀の子状の誘導レールをパチンコ島台１の中央に長手方向に沿って敷設することにより構成されている。なお、このアウト玉回収樋は、簀の子状の誘導レールに限らず、ベルトコンベア等により構成されるものであってもよい。
【００２５】
また、パチンコ機２の下部には、パチンコ島台１に対してほぼ直交するように外側に向かってカウンター台３８が突設されている。カウンター台３８には、玉箱１７（図２参照）が載置されるものであり、カウンター台３８の下方には、パチンコ島台１の下部外観を構成する腰板３９がパチンコ島台１に対して着脱自在に設置されている。この腰板３９に対応する位置のパチンコ島台１内部には、アウト玉回収樋が位置しているため、腰板３９を取り外すことにより、アウト玉回収樋のメンテナンスや玉詰まり等のトラブルに対する処置を容易に行うことができる。
【００２６】
しかして、玉揚送装置の左側にあるアウト玉回収樋によって回収されたパチンコ玉は、貯留タンク１３を介して貯留タンク１２へ移送され、玉揚送装置の右側にあるアウト玉回収樋によって回収されたパチンコ玉は、直接貯留タンク１２へ移送される。このように貯留タンク１２に移送されたパチンコ玉は、貯留タンク１２内の合流部３０に移送されて、玉揚送装置から移送されてくるパチンコ玉と合流する。この合流部３０の下流端であって、貯留タンク１２の壁板面には、排出口（図示しない）が形成されており、この排出口には、玉揚送装置の導入樋が接続されているため、合流部３０内のパチンコ玉は、玉揚送装置内へ移送されることとなる。なお、貯留タンク１２内の合流部３０にあるパチンコ玉は、合流部３０の上方位置に圧抜き板（図示しない）が設けられているため、上下方向に積まれることなく、一段の状態となる。
【００２７】
以上、パチンコ島台１の概略構成について説明してきたが、次に、図２乃至図６を参照して、本発明の要部を構成する玉抜き装置２０について説明する。図２は、スライド扉９が閉塞された状態での玉抜き装置２０の斜視図であり、図３は、玉抜き装置２０の縦断面図であり、図４は、玉抜き装置２０の横断面図であり、図５は、玉抜き装置２０でパチンコ玉を抜き取る状態の斜視図であり、図６は、玉抜き装置２０でパチンコ玉を抜き取る状態の縦断面図である。
【００２８】
図２において、玉抜き装置２０は、貯留タンク１２の側方の壁板１４に形成された玉抜き開口１５に沿って取り付けられており、貯留タンク１２の下流端である前記合流部３０の壁面に位置するものである。この位置に玉抜き装置２０を設けたのは、この位置のパチンコ玉が一段の状態であるため、複数段の状態にあるパチンコ玉を抜くのに比べ、パチンコ玉が一度に溢れ出ることなく適度に抜くことができ、また、遮蔽部材２２にかかるパチンコ玉の圧力も少ないため、容易に遮蔽部材２２の操作も行うことができるからである。玉抜き装置２０は、図２に示すように、扉枠８の右側のスライド扉９の内側に位置しており、玉抜き装置２０の使用の際には、図５に示すように、スライド扉９を左方向へスライドさせて扉枠８を開放する。また、扉枠８の表面側には、貯留タンク１２から抜き出したパチンコ玉を貯留するための玉箱１７が載置される。
【００２９】
玉抜き装置２０は、壁板１４に直接取り付けられる取付基台２１と取付基台２１に対して上下にスライド移動する遮蔽部材２２と取付基台２１に対して回動可能な案内樋２３とから構成されている。取付基台２１は、貯留タンク１２の玉抜き開口１５の切り欠かれた面に嵌合するよう略コ字状に嵌合部２５が形成されると共に、貯留タンク１２外側面に当接するフランジ部２４が嵌合部２５の両側方から外側に向かって上端から下端よりやや上方に位置にかけて突設されている。また、取付基台２１の下部には、当接片３４が当接することにより案内樋２３を使用位置で停止させる当接部２８が形成されている。嵌合部２５の突出部分の表面には、開口部２６が嵌合部２５の下端まで開設されており、この開口部２６の両側方は、ガイドレール２７として形成されている。
【００３０】
遮蔽部材２２は、その縦断面がほぼコ字状に形成されるものであり、取付基台２１のガイドレール２７に沿ってスライドするスライド部３３と、貯留タンク１２の貯留空間に臨む遮蔽板３６と、スライド部３３と遮蔽板３６を接合する接合板３７と、スライド部３３の上方から延設してほぼＬ字状に形成される係止片３１とから構成されている。係止片３１の先端ほぼ中央には、操作穴３２が形成されている。また、スライド部３３の貯留タンク１２内部側の面には、図４に示すように、接合板３７を介して遮蔽板３６が貼着されている。遮蔽部材２２が取付基台２１に装着された場合、図４に示すように、ガイドレール２７をスライド部３３と遮蔽板３６とで挟み込む形となり、両側方のガイドレール２７との間及びスライド部３３と遮蔽板３６との間に接合板３７が位置することとなる。したがって、スライド部３３の幅は、嵌合部２５の内側面の幅よりやや小さく形成され、接合板３７の幅は、両側方のガイドレール２７の間隔よりやや小さく形成されている。また、遮蔽板３６の幅は、嵌合部２５の外側面の幅、つまり、玉抜き開口１５とほぼ同じ寸法で形成されている。また、フランジ部２４の壁板１４当接面から遮蔽部材２２の内側面である遮蔽板３６の内側面までの寸法は、壁板１４の厚さと略同一となるように形成されている。このように構成される遮蔽部材２２は、スライド部３３と遮蔽板３６との間に位置するガイドレール２７に沿って、取付基台２１に対し上下方向にスライド可能に取り付けられている。
【００３１】
案内樋２３は、図４にしめすように、横断面がほぼコ字状に形成されるものであり、両側方の下端部は、円弧状に形成されている。また、案内樋２３の中央部（パチンコ玉が流れる面）の下部両側方には、外側に向かって中央部とほぼ直角に当接片３４が突設されている。この両側方の当接片３４の間であって案内樋２３の中央部の下端には、蝶番３５の一端が取り付けられ、この蝶番３５の他端は、取付基台２１の当接部２８の中央に取り付けられている。したがって、案内樋２３は、取付基台２１に対し、下端を中心に回動自在に取り付けられている。また、案内樋２３の下流端が下方に向かう方向に回動すると、当接片３４が当接部２８に当接した位置で案内樋２３が停止し、案内樋２３がほぼ水平の状態で保持される。
【００３２】
しかして、玉抜き装置２０は、嵌合部２５を壁板１４の玉抜き開口１５に挿入し、フランジ部２４に穿設された取付穴（図示しない）に挿通した取付ネジ２９を壁板１４に螺着することにより、貯留タンク１２に装着される。このとき、前述したように、フランジ部２４の壁板１４当接面から遮蔽板３６の内側面までの寸法は、壁板１４の厚さと略同一となるように形成されているため、遮蔽部材２２と壁板１４との位置合わせをすることなく、遮蔽板３６の内側面と壁板１４の内側面とを略同一平面とすることができる。また、前述のように、案内樋２３が取付基台２１に設けられているため、取付基台２１を貯留タンク１２に取り付けることで案内樋２３の貯留タンク１２への取り付けも同時に行うことができると共に、案内樋２３と貯留タンク１２の玉抜き開口１５との位置合わせをすることなく案内樋２３を適切な位置に設けることができる。
【００３３】
玉抜き装置２０は、使用されない場合には、図３に示すように、遮蔽部材２２が案内樋２３の下流端側の端部により上方位置で保持され、案内樋２３の下流端側の端部が遮蔽部材２２の係止片３１により保持されている。このように、他の係止具等を用いることなく、遮蔽部材２２の上方位置での保持及び案内樋２３の収納状態での保持を互いに係止し合うことにより行うことができる。また、扉枠８のスライド扉９が閉塞されて玉抜き装置２０は、外部から見えない状態になっている。このように、玉抜き装置２０が使用されず、遮蔽部材２２が玉抜き開口１５を閉塞する位置にある通常の状態では、遮蔽部材２２の内側面である遮蔽板３６の内側面が壁板１４の内側面と略同一平面になるため、貯留タンク１２の貯留空間における玉抜き開口１５周辺でパチンコ玉が滞留することなくスムーズに流れる。このため、パチンコ玉が滞留して錆びたり、貯留タンク１２の玉抜き開口１５周辺の破損を防止することができる。
【００３４】
次に、玉抜き装置２０が使用されるのは、貯留タンク１２内を清掃する場合や、あるいは貯留タンク１２内のパチンコ玉貯留量のバランスがパチンコ島台１間で崩れた場合等である。このような場合、まず、扉枠８の錠１１の施錠を解除し、図５に示すように、扉枠８の右側のスライド扉９を左側にスライドさせて開放する。スライド扉９を開放した後、遮蔽部材２２をやや上方に持ち上げて係止片３１による案内樋２３の下流端側の端部の保持を解除し、案内樋２３を手前側に回動させる。回動させた案内樋２３は、ほぼ水平の位置で当接片３４が当接部２８に当接することにより停止し保持されるので、この保持された案内樋２３の下流端の下方には、パチンコ玉を受けるための玉箱１７を予め載置しておく。この状態で遮蔽部材２２を下方に移動させることにより、玉抜き開口１５を開放させる。遮蔽部材２２を下方に移動させると、遮蔽部材２２の係止片３１の先端部が図６に示すように、案内樋２３の中央部の上面に当接するため、他の係止具等を用いることなく、遮蔽部材２２を下方位置で保持することができる。
【００３５】
玉抜き開口１５が開放されると、図５及び図６に示すように、貯留タンク１２の合流部３０から流出したパチンコ玉は、係止片３１上及び案内樋２３上を転動して案内樋２３の下流端から玉箱１７内へ移送される。このように、玉抜き装置２０に案内樋２３が取り付けられているため、玉抜き開口１５がパチンコ島台１の表面よりも奥側に位置していても、パチンコ島台１を構成する扉枠１８を超えてパチンコ島台１の外側に載置された玉箱１７に直接的にパチンコ玉を移送することができるため、玉抜きの作業性の向上を図ることができる。
【００３６】
貯留タンク１２から必要な量のパチンコ玉を抜き取り、清掃あるいはパチンコ玉貯留量の調整等を終えた後、玉抜き装置２０の遮蔽部材２２を上方に移動させる。このとき、遮蔽部材２２の係止片３１の先端部に操作穴３２が形成されているため、この操作穴３２に指を掛けることにより容易に遮蔽部材２２を上方に移動させることができる。このように、遮蔽部材２２は、上方位置で玉抜き開口１５を閉塞するものであるため、玉抜き開口１５を開放した状態から閉塞した状態にして貯留タンク１２内のパチンコ玉の流出を止める際、遮蔽部材２２によるパチンコ玉の噛み込みを防止することができる。
【００３７】
遮蔽部材２２を上方に移動させた後、案内樋２３の下流端側の端部が上方に向かう方向に案内樋２３を回動させ、遮蔽部材２２の係止片３１で案内樋２３の下流端側の端部を保持することにより、案内樋２３を固定する。このように、案内樋２３は、蝶番３５で軸支された位置を中心に上下方向に回動自在であるため、玉抜きを行わないときには、案内樋２３を上方向に回動させて壁板１４側に垂直状に沿った状態で収納しておくことができる。また、遮蔽部材２２は、上記のように、略同一平面上で上下方向にスライド移動するものであるため、玉抜き開口１５を開放した状態から閉塞した状態にする際に、遮蔽部材２２がパチンコ玉を噛み込むことがなく、遮蔽部材２２をスムーズに移動させることができると共に、遮蔽部材２２のがたつきが発生しにくく、壁板１４の内側面と遮蔽部材２２の内側面との位置関係を長期間に亘って略同一の良好な状態に保つことができる。
【００３８】
玉抜きの作業が終了し、上記のように、案内樋２３が収納されて玉抜き装置２０が使用されない状態になった後、扉枠８の右側のスライド扉９を閉塞して錠１１を施錠する。
【００３９】
以上、パチンコ島台１の詳細な構成について説明してきたが、本実施形態においては、パチンコ玉を排出する排出口に向かって傾斜する底板１６と、該底板１６の外周に周設される壁板１４と、から構成され、前記底板１６と前記壁板１４とにより形成される貯留空間にパチンコ玉を貯留するパチンコ島台１の貯留タンク１２において、該貯留タンク１２には、前記貯留空間に貯留されるパチンコ玉を外部へ流出させる玉抜き開口１５が前記壁板１４に貫通して形成されると共に、前記玉抜き開口１５を閉塞する位置と開放する位置とに移動可能な遮蔽部材２２を有する玉抜き装置２０が備えられ、前記遮蔽部材２２が閉塞する位置にある場合、前記遮蔽部材２２の内側面が前記壁板１４の内側面と略同一平面になることを特徴とするものである。このように構成することにより、遮蔽部材２２が玉抜き開口１５を閉塞する位置にあり、貯留タンク１２内のパチンコ玉の玉抜きが行われていない通常の状態では、遮蔽部材２２の内側面が壁板１４の内側面と略同一平面になるため、貯留空間における玉抜き開口１５周辺でパチンコ玉が滞留することなくスムーズに流れる。このため、パチンコ玉が滞留して錆びたり、貯留タンク１２の玉抜き開口１５周辺の破損を防止することができる。
【００４０】
また、本実施形態においては、前記遮蔽部材２２は、前記略同一平面上でスライド移動することを特徴とするものである。このように構成することにより、玉抜き開口１５を開放した状態から閉塞した状態にする際に、遮蔽部材２２がパチンコ玉を噛み込むことが少なくなり、遮蔽部材２２をスムーズに移動させることができるため、作業性の向上を図ることができる。
【００４１】
また、遮蔽部材２２が同一平面上で移動するだけであるため、遮蔽部材２２のがたつきが発生しにくく、壁板１４の内側面と遮蔽部材２２の内側面との位置関係を、長期間に亘って略同一平面の良好な状態に保つことができる。
【００４２】
また、本実施形態においては、前記遮蔽部材２２は、上下方向にスライド移動し、上方位置で前記玉抜き開口１５を閉塞し、下方位置で前記玉抜き開口１５を開放することを特徴とするものである。このように構成することにより、玉抜き開口１５を開放した状態から閉塞した状態にして貯留タンク１２内のパチンコ玉の流出をとめる際、遮蔽部材２２を流出するパチンコ玉の下方から上方に移動させることにより行うため、遮蔽部材２２によるパチンコ玉の噛み込みをより一層防止することができる。
【００４３】
また、本実施形態においては、前記玉抜き装置２０は、前記遮蔽部材２２を移動可能に装着し且つ前記玉抜き開口１５に嵌合する略コ字状の嵌合部２５と、該嵌合部２５の両側方から外側に向かって突設され且つ前記壁板１４の外側面に当接するフランジ部２４と、から構成される取付基台２１を備え、前記フランジ部２４の壁板１４当接面から前記玉抜き開口１５を閉塞する位置にある前記遮蔽部材２２の内側面までの寸法を前記壁板１４の厚さと略同一となるように形成したことを特徴とするものである。このように構成することにより、玉抜き装置２０を壁板１４に取り付ける際、取付基台２１のフランジ部２４の壁板１４当接面を壁板１４の外側面に当接させるだけで、遮蔽部材２２と壁板１４との位置合わせをすることなく、遮蔽部材２２の内側面と壁板１４の内側面とを略同一平面とすることができる。
【００４４】
また、取付基台２１を取り付けることで遮蔽部材２２も同時に取り付けることとなり、玉抜き装置２０の取付作業の容易化を図ることができる。
【００４５】
また、本実施形態においては、前記玉抜き開口１５から流出するパチンコ玉を案内する案内樋２３を設けたことを特徴とするものである。このように構成することにより、玉抜き開口１５がパチンコ島台１の表面よりも奥側に位置している場合でも、パチンコ島台１を構成する枠等を超えてパチンコ島台１の外側に載置された玉箱１７等にパチンコ玉を移送することができるため、玉抜きの作業性の向上を図ることができる。
【００４６】
また、本実施形態においては、前記案内樋２３は、その上流側の端部が前記玉抜き開口１５の下方に軸支され、パチンコ玉を案内可能な使用位置と、前記貯留タンク１２の前記壁板１４側に収納された収納位置とに軸支位置を中心に上下方向に回動自在であることを特徴とするものである。このように構成することにより、玉抜きを行うときには、案内樋２３を回動して使用位置にして使用し、玉抜きを行わないときには、案内樋２３を回動させて壁板１４側に収納しておくことができる。
【００４７】
このように回動自在であるため、例えば、案内樋２３が長いものであっても、案内樋２３の長さに合わせてパチンコ島台１の寸法を変えることなく、パチンコ島台１内に収納しておくことができる。
【００４８】
また、本実施形態においては、前記案内樋２３は、前記取付基台２１に設けられていることを特徴とするものである。このように構成することにより、取付基台２１を貯留タンク１２に取り付けることで案内樋２３の貯留タンク１２への取り付けも同時に行うことができると共に、案内樋２３と貯留タンク１２のとの位置合わせをすることなく案内樋２３を適切な位置に設けることができる。
【００４９】
更に、本実施形態においては、前記遮蔽部材２２の上方には、前記案内樋２３が使用位置にある場合、該案内樋２３の上面に当接することにより前記遮蔽部材２２を下方位置で保持すると共に、前記案内樋２３が収納位置にある場合、該案内樋２３の下流端側の端部に当接することにより前記遮蔽部材２２を上方位置で保持し且つ前記案内樋２３の下流端側の端部を係止する係止片３１が設けられていることを特徴とするものである。このように構成することにより、遮蔽部材２２の上方位置又は下方位置での保持、及び案内樋２３の収納位置での保持を他の係止具等を用いることなく案内樋２３と遮蔽部材２２とが係止し合うことにより行うことができる。
【００５０】
遮蔽板２２は、上下方向にスライド移動するものを示したが、上下方向に特に限定するものではなく、例えば、左右方向にスライド移動するものでも良く、また、スライド移動ではなく、支軸を中心にして回転するような扉状ものでも良い。
【００５１】
また、案内樋２３の長さは、玉抜き開口１５からパチンコ島台１の外側にパチンコ玉を案内できる長さがあれば良く、伸縮自在な案内樋２３を用いれば収納時により一層コンパクトに収納することができる。
【００５２】
また、案内樋２３の形状は、横断面コ字状のものを示したが、特に限定されるものではなく、パチンコ玉が案内できる形状であれば良い。
【００５３】
また、玉抜き装置２０は、手動で行うものを示したが、モータやソレノイド等の駆動源と、駆動源の駆動停止を指示するスイッチを設け、スイッチの操作により自動的に遮蔽部材２２及び案内樋２３が使用する状態と収納する状態になるようにしても良い。
【００５４】
また、玉抜き装置２０は、取付基台２１に遮蔽部材２２と案内樋２３とを集約して設けたものを示したが、遮蔽部材２２及び案内樋２３がそれぞれ単独で貯留タンク１２の壁板１４に取り付けられるものでも良い。
【００５５】
また、玉抜き装置２０は、貯留タンク１２の壁板１４に形成される玉抜き開口１５に設けるものを示したが、貯留タンク１２の底板１６に玉抜き開口１５を形成して玉抜き装置２０を設けるものでも良い。
【００５６】
また、遮蔽部材２２及び案内樋２３は、玉抜き開口１５を開放する位置と玉抜き開口１５を閉塞する位置とでそれぞれが係止し合うことにより位置決めされるものを示したが、遮蔽部材２２及び案内樋２３をそれぞれの位置で係止する係止具を設けても良い。
【００５７】
【発明の効果】
以上、説明したところから明らかなように、請求項１に記載の発明においては、パチンコ玉を排出する排出口に向かって傾斜する底板と、該底板の外周に周設される壁板と、から構成され、前記底板と前記壁板とにより形成される貯留空間にパチンコ玉を貯留するパチンコ島台の貯留タンクにおいて、該貯留タンクには、前記貯留空間に貯留されるパチンコ玉を外部へ流出させる玉抜き開口が前記壁板に貫通して形成されると共に、前記玉抜き開口を閉塞する位置と開放する位置とに移動可能な遮蔽部材を有する玉抜き装置が備えられ、該玉抜き装置は、前記遮蔽部材を移動可能に装着し且つ前記玉抜き開口に嵌合する略コ字状の嵌合部と、該嵌合部の両側方から外側に向かって突設され且つ前記壁板の外側面に当接するフランジ部と、から構成される取付基台を備え、前記フランジ部の壁板当接面から前記玉抜き開口を閉塞する位置にある前記遮蔽部材の内側面までの寸法を前記壁板の厚さと略同一となるように形成して前記遮蔽部材が閉塞する位置にある場合、前記遮蔽部材の内側面が前記壁板の内側面と略同一平面になることにより、遮蔽部材が玉抜き開口を閉塞する位置にあり、貯留タンク内のパチンコ玉の玉抜きが行われていない通常の状態では、遮蔽部材の内側面が壁板の内側面と略同一平面になるため、貯留空間における玉抜き開口周辺でパチンコ玉が滞留することなくスムーズに流れる。このため、パチンコ玉が滞留して錆びたり、貯留タンクの玉抜き開口周辺の破損を防止することができる。また、玉抜き装置を壁板に取り付ける際、取付基台のフランジ部の壁板当接面を壁板の外側面に当接させるだけで、遮蔽部材と壁板との位置合わせをすることなく、遮蔽部材の内側面と壁板の内側面とを略同一平面とすることができる。また、取付基台を取り付けることで遮蔽部材も同時に取り付けることとなり、玉抜き装置の取付作業の容易化を図ることができる。
【００５８】
また、請求項２に記載の発明においては、前記遮蔽部材は、前記略同一平面上でスライド移動することにより、玉抜き開口を開放した状態から閉塞した状態にする際に、遮蔽部材がパチンコ玉を噛み込むことが少なくなり、遮蔽部材をスムーズに移動させることができるため、作業性の向上を図ることができる。
【００５９】
また、遮蔽部材が同一平面上で移動するだけであるため、遮蔽部材のがたつきが発生しにくく、壁板の内側面と遮蔽部材の内側面との位置関係を、長期間に亘って略同一平面の良好な状態に保つことができる。
【００６０】
また、請求項３に記載の発明においては、前記遮蔽部材は、上下方向にスライド移動し、上方位置で前記玉抜き開口を閉塞し、下方位置で前記玉抜き開口を開放することにより、玉抜き開口を開放した状態から閉塞した状態にして貯留タンク内のパチンコ玉の流出をとめる際、遮蔽部材を流出するパチンコ玉の下方から上方に移動させることにより行うため、遮蔽部材によるパチンコ玉の噛み込みをより一層防止することができる。
【００６１】
【００６２】
【００６３】
また、請求項４に記載の発明においては、前記玉抜き開口から流出するパチンコ玉を案内する案内樋を前記取付基台に設け、前記案内樋は、その上流側の端部が前記玉抜き開口の下方に軸支され、パチンコ玉を案内可能な使用位置と、前記貯留タンクの前記壁板側に収納された収納位置とに軸支位置を中心に上下方向に回動自在であることを特徴とするものである。このように構成することにより、玉抜き開口がパチンコ島台の表面よりも奥側に位置している場合でも、パチンコ島台を構成する枠等を超えてパチンコ島台の外側に載置された玉箱等にパチンコ玉を移送することができるため、玉抜きの作業性の向上を図ることができる。
【００６４】
また、玉抜きを行うときには、案内樋を回動して使用位置にして使用し、玉抜きを行わないときには、案内樋を回動させて壁板側に収納しておくことができる。
【００６５】
このように回動自在であるため、例えば、案内樋が長いものであっても、案内樋の長さに合わせてパチンコ島台の寸法を変えることなく、パチンコ島台内に収納しておくことができる。
【００６６】
また、取付基台を貯留タンクに取り付けることで案内樋の貯留タンクへの取り付けも同時に行うことができると共に、案内樋と貯留タンクのとの位置合わせをすることなく案内樋を適切な位置に設けることができる。
【００６７】
更に、請求項５に記載の発明においては、前記遮蔽部材の上方には、前記案内樋が使用位置にある場合、該案内樋の上面に当接することにより前記遮蔽部材を下方位置で保持すると共に、前記案内樋が収納位置にある場合、該案内樋の下流端側の端部に当接することにより前記遮蔽部材を上方位置で保持し且つ前記案内樋の下流端側の端部を係止する係止片が設けられていることにより、遮蔽部材の上方位置又は下方位置での保持、及び案内樋の収納位置での保持を他の係止具等を用いることなく案内樋と遮蔽部材とが係止し合うことにより行うことができる。
【図面の簡単な説明】
【図１】  本実施形態に係るパチンコ島台の内部を示す部分側面図である。
【図２】  スライド扉が閉塞された状態での玉抜き装置の斜視図である。
【図３】  玉抜き装置の縦断面図である。
【図４】  玉抜き装置の横断面図である。
【図５】  玉抜き装置でパチンコ玉を抜き取る状態の斜視図である。
【図６】  玉抜き装置でパチンコ玉を抜き取る状態の縦断面図である。
【符号の説明】
１  パチンコ島台
２  パチンコ機
８  扉枠
９  スライド扉
１２  貯留タンク
１４  壁板
２０  玉抜き装置
２１  取付基台
２２  遮蔽部材
２３  案内樋
２４  フランジ部
２５  嵌合部
２６  開口部
２７  ガイドレール
３０  合流部
３１  係止片
３３  スライド部
３６  遮蔽板
【図１】
0004691800.tif 000002
【図２】
0004691800.tif 000003
【図３】
0004691800.tif 000004
【図４】
0004691800.tif 000005
【図５】
0004691800.tif 000006
【図６】
0004691800.tif 000007